(57)【特許請求の範囲】
【請求項１】
内部に塗布液収容部を形成した軸筒の先端開口部に塗布体を摺動自在に配置し、この塗布体と前記収容部との間に弁機構を配置すると共に前記塗布体を弁体と連設し、さらにその弁体に可動部の動作を伝達してなるノック式塗布具おいて、その可動部材のノック操作により前記塗布体と弁体とを動作させ、前記弁機構の開閉をなすと共に、また、前記塗布体が、軸筒先端開口部内径より小さい小径部と、同等乃至僅かに大きい大径部とよりなり、前記可動部材の非ノック操作時には塗布体の小径部が軸筒先端開口部と対峙し、一方、可動部材のノック操作時には前記塗布体の大径部が軸筒先端開口部と対峙するようなしたことを特徴とするノック式塗布具。
【発明の詳細な説明】
【０００１】
【発明の属する技術分野】
本発明は、墨液、絵の具、インキなどの筆記液、アイライナー、リップカラーなどの化粧液、筆跡修正液、接着剤といった塗布液を内蔵したノック式塗布具に関する。
【０００２】
【従来の技術】
従来、内部に塗布液収容部を形成した軸筒の先端開口部にペン先などの塗布体を固定し、この塗布体と前記塗布液の収容部との間に弁機構を配置してなる塗布具が知られている。この塗布具は、ノック部を押圧して塗布液の収容部内に配置した可動部材を移動することにより弁機構を開放して塗布液をその収容部よりペン先側に吐出させ筆記可能とするものである。ところで、この種の塗布具は、長期間使用していないときや、キャップをはずして放置したとき、塗布体と軸筒先端開口部内壁との間の塗布液の流出路内に貯留した塗布液から水分や溶剤分が蒸発して生じた固化物やゲル化物、粘稠化物が、前記塗布液流通路をふさぎ、塗布液の流出を阻害するという問題があった。
【０００３】
上記問題を解決するものとして、種々の提案がなされている。例えば、実公平２−３０９号公報には、弁体を固定した含液機能を有する筆記体を軸筒先端孔に摺動自在に挿入し、該筆記体外面と軸筒先端孔内面間に顔料インキ流通路を形成し、弾発体軸筒の少なくとも一部を弾性体となし、該軸筒を押圧することにより弾発体を変位し、弁体と筆記体を同時に摺動し得る如くなしたサイドノック弁付筆記具を要旨とする考案が記載されている。この考案は、インキの流出路が乾燥固化したインキの成分でふさがった場合、インキの固まりをはがして、又は、くずしてインキ流通路を回復することによって、インキを円滑に流通させる目的で、軸筒を押圧する開弁操作と同時に塗布体を摺動するようなしたものである。
【０００４】
【発明が解決しようとする課題】
しかしながら、上記考案の筆記具は、インキの流通路を塞ぐものが、乾燥固化したインキ成分である場合には、上記構成によって乾燥固化したインキ成分を筆記具の外部に排出することが可能であるが、ゲル化物や粘稠化物である場合には、塗布体の摺動によっても塗布体と軸筒先端孔内面間のインキ流通路にあるゲル化物や粘稠化物をはがしたりくずしたりすることが難しく、塗布液流通路を完全には回復できないおそれがあった。
【０００５】
また、塗布体の摺動によって移動した乾燥固化したインキ成分やゲル化物や粘稠化物が、弁機構の弁部と弁座との間に挟まり、弁の液密性を悪くするおそれがあった。
【０００６】
本発明は、塗布体と軸先端開口部内壁との隙間である塗布液流出路が、塗布液中の水分や溶剤分が蒸発して生じた固化物やゲル化物、粘稠化物などによって塞がれ、塗布液が円滑に流通しなくなった場合、塗布体の摺動によって前記固化物やゲル化物、粘稠化物を塗布具外に排出して塗布液流出路を回復すると共に、移動した乾燥固化したインキ成分やゲル化物や粘稠化物が弁機構の弁部と弁座との間に挟まることのないノック式塗布具を提供することを課題とする。
【０００７】
【課題を解決するための手段】
本発明は、内部に塗布液収容部を形成した軸筒の先端開口部に塗布体を摺動自在に配置し、この塗布体と前記収容部との間に弁機構を配置すると共に前記塗布体を弁体と連設し、さらにその弁体に可動部の動作を伝達してなるノック式塗布具おいて、その可動部材のノック操作により前記塗布体と弁体とを動作させ、前記弁機構の開閉をなすと共に、また、前記塗布体が、軸筒先端開口部内径より小さい小径部と、同等乃至僅かに大きい大径部とよりなり、前記可動部材の非ノック操作時には塗布体の小径部が軸筒先端開口部と対峙し、一方、可動部材のノック操作時には前記塗布体の大径部が軸筒先端開口部と対峙するようなしたことを要旨とする。
【０００８】
【作用】
本発明に係るノック式塗布具は、非ノック時には塗布体の小径部が軸筒先端開口部と対峙しているので、塗布体の小径部と軸筒先端開口内壁との間隙が塗布液流出路となり、塗布液が円滑に流出する。そして、ノック時には、軸筒先端開口部内径と同等乃至僅かに大きい塗布体の大径部が軸筒先端開口部と対峙するよう塗布体が移動するので、塗布体の大径部によって塗布液流出路を塞いでいるものを塗布具外に排出し、塗布液流出路を回復する。
【０００９】
更に、塗布体の大径部は、軸筒先端開口部内径と同等乃至僅かに大きいので、塗布液流出路を塞いでいる塗布液の固化物やゲル化物、粘稠化物を排出するときに、塗布液流出路が塗布体によって一時的に閉塞される。従って、塗布液の固化物やゲル化物、粘稠化物が、塗布具内に進入して弁体と弁座との間に挟まり、弁の液密性を悪くするという現象は、発生しない。
【００１０】
【実施例】
以下、本発明を、添付図面を参照して詳細に説明する。図１、図２に本発明の実施例１を示す。図１は実施例１の非ノック時の縦断面図であり、図２は実施例１のノック時の要部縦断面図である。参照符号１は、内部に塗布液収容部２を形成した後軸であり、この後軸１は、その先端開口部に挿入固定された、前方（図中上方向）が小径で後方が大径である前軸３とで軸筒を形成している。この軸筒の先端開口部４には、アクリル繊維、ポリエステル繊維、ナイロン繊維、レーヨン繊維などの繊維収束体や、ウレタン系樹脂、ポリエステル系樹脂、セラミックなどの成形体などよりなる塗布体５を摺動自在に配置している。塗布体５は、前記軸筒の先端開口部４の内径よりも小さい小径部５ａと、前記軸筒先端開口部４の内径と同等乃至僅かに大きい大径部５ｂとからなり、後端には連結部である凸部５ｃが設けられている。
【００１１】
塗布体５と前記収容部２との間には、弁機構を配置している。この弁機構は、座部６ａを形成してなる蓋体６と、前記座部６ａに弾発的に当接する弁部７ａを形成してなる弁体７とよりなっている。蓋体６は、内筒部６ｂと外筒部６ｃと、これらを連結する板状部６ｄとよりなり、内筒部６ｂの前方側内壁下部に前記座部６ａが形成されている。この蓋体６は、後軸１の内壁に圧入嵌合され、後軸１内部に形成された塗布液収容部２の蓋体となっている。
【００１２】
弁体７は、前端面に前記塗布体５の連結部である凸部５ｃとの連結部である凹部７ｂと弁部７ａとが形成されており、前記蓋体６の内筒部６ｂ内に摺動自在に配置され、且つ、コイルバネなどの弾発体８によって後方に付勢されている。但し、塗布体５と弁体７との連接は、上記のような凸部と凹部との圧入に限定されるものではなく、螺合、嵌合、接着などといった他の適宜手段によっても可能である。
【００１３】
前記弁機構は、前記塗布液収容部２の塗布液吐出口であり、蓋体６の内筒部６ｂの前方開口端が実質的な塗布液吐出口となっている。
【００１４】
弁体７は、その後方部７ｃが、蓋体６の内筒部６ｂを貫通して塗布液収容部２内に延設されており、後方部７ｃの後部は塗布液収容部２内に配置された前方が筒状部９ａである弁開放体９の前端に挿入固定されている。
【００１５】
この弁開放体９は、その後部が塗布液収容部２の底部である可動部１０の有底筒状部１０ａ内部に挿入されている。弁開放体９の後端９ｂと前記有底筒状部１０ａの底面とは、僅かな間隔を有している。これは、弁機構開放のため、有底筒状部１０ａをノック動作により前方に押し出すときの遊びである。
【００１６】
可動部１０はノック動作を弁開放体９に伝達する部分であり、前記有底筒状部１０ａと薄肉部１０ｂとよりなり、塗布液収容部２内壁に、後軸１と一体に形成されているが、後軸１の液密性が保たれ、かつ、ノック動作を弁開放体９に伝達することができれば、ポリエチレン、ゴム、エラストマーなどの成形体による別部材で形成しても構わない。
【００１７】
前記可動部１０の後方に延在している後軸１の後端開口部内には、鍔付押圧部材１１が、前記可動部１０の有底筒状部１０ａに圧入することによって係止している。
【００１８】
更に、前記後軸１の後端開口部の開口端面には、尾栓１２が挿入固定されている。この尾栓１２は、外周に鍔状突起部１２ａを有する鍔付筒状をなし、外壁が後軸１内壁と密着し、鍔状突起部１２ｂが後軸１の後端開口端面と当接するように後軸１に挿入固定されている。
【００１９】
尚、前記尾栓１２の内径を前記鍔付押圧部材１１の鍔部外径より小さくすることにより、落下の衝撃などで鍔付押圧部材１１が有底筒状部１０ａから離脱した場合、尾栓１２の前部開口端面で係止できるため、鍔付押圧部材１１が塗布具から脱落するのを防止できる。
【００２０】
次に、使用方法について説明する。鍔付押圧部材１１を押圧すると、可動部１０の薄肉部１０ｂが変形すると共に有底筒状部１０ａが前進し、有底筒状部１０ａの底面が弾発体８の付勢力に抗して弁開放体９及び弁体７を前進させ、弁部７ａと座部６ａとを離間して弁機構を開放する。この時、塗布体５は、弁体７に固定されているので、共に前進する。
【００２１】
弁機構が開放されると、塗布液収容部２内の塗布液は、内筒部６ｂ内を通り、前軸３内に吐出され先端方向に移動するが、ノックにより移動した塗布体５の大径部５ｂが軸筒先端開口部４を塞ぐため、軸筒先端開口部４後方の前軸２の内部に一時的に貯留される。
【００２２】
更に強くノックを行うと、塗布体５は、その大径部５ｂが軸筒先端開口部４と対峙する位置まで前進する（図２参照）が、このとき、大径部５ｂの外面は、前記先端開口部４の内壁と接触しながら摺動する。この摺動によって、塗布体５の小径部５ａと先端開口部４との間隙である塗布液流出部に存在する塗布液の固化物やゲル化物、粘稠化物などをはがし又はくずしながら塗布具の外部に排出する。
【００２３】
次に、押圧部材１１に対する押圧を解くと、弁開放体９及び弁体７が弾発体８の付勢力によって図１で示した位置まで後退し、弁部７ａと座部６ａとが液密周状当接し、弁機構が閉鎖される。
【００２４】
塗布体５が後退し、塗布体小径部５ａと軸筒先端開口部４とが対峙すると、塗布体小径部５ａと軸筒先端開口部４の内壁とに間隙ができ、前軸３内部に一時的に貯留されていた塗布液が塗布体５の先端部に供給されて塗布が可能となる。
【００２５】
図３、図４に、本発明の実施例２を示す。実施例２は、上記実施例１における塗布体５を、鼬、馬、豚などの天然繊維、ナイロン、ポリエチレンテレフタレート、アクリル系繊維などの合成樹脂製繊維、あるいは前記天然筆毛と合成樹脂製筆毛とを混ぜたものなどの繊維を多数、長手方向に収束し、片方の端面を熱溶着や接着などの方法で固着した筆穂状塗布部５１１と、有底筒状で、底面外壁に凸部５１２ａを設けた塗布部保持部材５１２とからなり、前記筆穂状塗布部５１１の固着端面を、前記塗布部保持部材５１２の有底筒状部に挿入固定して塗布体５１とし、筆穂状塗布部５１２の先端部を小径部５１１ａ、後方部を大径部５１１ｂとなした以外は実施例１と同様である。本実施例２は、前記実施例１に比較して、塗布体５１は径方向の変形量が大きいので、塗布体大径部５１１ｂの径を軸筒先端開口部４１の内径より大きくできるため、塗布体大径部５１１ｂが軸筒先端開口部４１内壁と接触したときの抵抗が大きくなり、塗布体小径部５１１ａと筒軸先端開口部４１内壁との間に生じた塗布液の固化物やゲル化物、粘稠化物をより確実、塗布具の外部に排出できる（図４参照）。また、図示はしないが、軸筒先端開口部４１内壁に、塗布体５１の横ブレ防止などの目的で長手方向に複数の縦リブ等を設けた場合、筆穂状塗布部５１１を形成している筆毛が、摺動時に前記縦リブ間に進入するため、縦リブ間で生じた、塗布液の固化物やゲル化物、粘稠化物を、比較的容易に、前軸の外部に排出できる。
【００２６】
図５に、本発明の実施例３を示す。実施例３は、上記実施例１における塗布体５を、塗布部である小径部５２ａと塗布部保持部材である大径部５２ｂとより形成した以外は実施例１と同様である。小径部５２ａと大径部５２ｂとは、小径部５２ａ後端の凸部を、大径部前端の凹部に挿入することにより固着している。本実施例は、前記他の実施例に比較して、ノック時に、塗布部保持部材である大径部５２ｂが軸筒先端開口部４２より突出するため、落下等により塗布部を損傷した場合などの塗布部の交換が容易に行えるという効果を有している。
【００２７】
上記実施例は、全て後端ノック式の塗布具で示したが、従来技術に記載したようにノックの形式は、サイドノック型であっても良い。
【００２８】
【発明の効果】
以上詳細に説明したように、本発明に係るノック式塗布具は、長期間保管してもノックを行うことによって、塗布液流出路内の塗布液の乾燥固形物などを塗布具外に排出するので、塗布液吐出量の低下といった問題の発生しない優れたものである。
【図面の簡単な説明】
【図１】  実施例１の縦断面図
【図２】  実施例１のノック時の要部縦断面図
【図３】  実施例２の要部縦断面図
【図４】  実施例２のノック時の要部縦断面図
【図５】  実施例３の要部縦断面図
【符号の説明】
１  後軸
２  塗布液収容室
３  前軸
４、４１、４２  軸筒先端開口部
５、５１、５２  塗布体
５ａ、５１１ａ、５２ａ  小径部
５ｂ、５１１ｂ、５２ｂ  大径部
６  蓋体
７  弁体
８  弾発体
【図１】
0003733664.tif 000002
【図２】
0003733664.tif 000003
【図３】
0003733664.tif 000004
【図４】
0003733664.tif 000005
【図５】
0003733664.tif 000006